(57)【要約】      （修正有）【課題】ガスセンサの機能を付与できる加入者識別モジュールカード及び無線通信装置を提供する。【解決手段】加入者識別モジュールカード３０は、平板状担体３１と、加入者識別モジュール回路３２と、ガス検知チップ３３とを有し、平板状担体は、加入者識別モジュール回路が設けられた第１面３１１と、ガス検知チップが設けられた第２面３１２と、連通孔３１３と、連通孔を通して第１面と第２面とに延在し且つ加入者識別モジュール回路及びガス検知チップに電気的に接続された電気接触部３１４とを有する。加入者識別モジュールカードの回路によって使用されていない部分にガス検知チップを設けることによって、無線通信装置はガス検知素子を付け加えなくても、ガス検知の機能を具現できる。【選択図】図４
0003226896.tif 000002
【実用新案登録請求の範囲】
【請求項１】
ハウジング、前記ハウジング内に設けられた基板、前記ハウジングに設けられた開口、及び前記開口に連通するスロットを含む本体と、
前記スロットに挿入されるように構成されたフレーム、前記開口を閉鎖し且つ少なくとも１つのガス通過孔を有するカバー、及び前記フレームと前記カバーとの間に配置され且つ前記開口を封止する通気防水性フィルムを有するインサートと、
加入者識別モジュールカードであって、前記フレームに取り付けられる平板状担体と、前記基板に電気的に接続される加入者識別モジュール回路及びガス検知チップとを有し、
前記平板状担体は、前記加入者識別モジュール回路が設けられた第１面、前記第１面の反対面であって且つ前記ガス検知チップが設けられた第２面、前記第１面と前記第２面とを連通する連通孔、並びに前記連通孔を通して前記第１面と前記第２面とに延在し且つ前記加入者識別モジュール回路及び前記ガス検知チップに電気的に接続される電気接触部を有する加入者識別モジュールカードと、を含むことを特徴とする無線通信装置。
【請求項２】
前記フレームは、少なくとも１つの溝部を有し、
少なくとも１つの前記溝部のそれぞれは、前記平板状担体を受け止めるための額縁を有することを特徴とする請求項１に記載の無線通信装置。
【請求項３】
前記ガス検知チップは、少なくとも１つのガス検知素子と、少なくとも１つの前記ガス検知素子に接続されたアナログデジタル変換ユニットと、前記アナログデジタル変換ユニットに接続されたマイクロプロセッサユニットと、前記電気接触部に接続され且つ前記ガス検知チップに所定の電圧を供給する電源管理ユニットとを有することを特徴とする請求項１に記載の無線通信装置。
【請求項４】
前記ガス検知チップは、前記マイクロプロセッサユニットに接続された情報記憶ユニットと、前記マイクロプロセッサユニットに接続された温湿度センサとをさらに有することを特徴とする請求項３に記載の無線通信装置。
【請求項５】
第１面と、前記第１面の反対面である第２面と、前記第１面と前記第２面とを連通する連通孔と、前記連通孔を通して前記第１面と前記第２面とに延在する電気接触部とを有する平板状担体と、
前記電気接触部に電気的に接続されるように前記第１面に設けられた加入者識別モジュール回路と、
前記電気接触部に電気的に接続されるように前記第２面に設けられたガス検知チップとを含むことを特徴とする加入者識別モジュールカード。
【請求項６】
フレーム、カバー、及び前記フレームと前記カバーとの間に配置された通気防水性フィルムを有し、且つ、前記カバーは少なくとも１つのガス通過孔を有し、前記フレームは少なくとも１つの溝部を有し、少なくとも１つの前記溝部のそれぞれが、前記平板状担体を受け止めるための額縁を有するインサートと組み合わせて用いられることを特徴とする請求項５に記載の加入者識別モジュールカード。
【請求項７】
前記ガス検知チップは、少なくとも１つのガス検知素子と、少なくとも１つの前記ガス検知素子に接続されたアナログデジタル変換ユニットと、前記アナログデジタル変換ユニットに接続されたマイクロプロセッサユニットと、前記電気接触部に接続され且つ前記ガス検知チップに所定の電圧を供給する電源管理ユニットとを有することを特徴とする請求項５に記載の加入者識別モジュールカード。
【請求項８】
前記ガス検知チップは、前記マイクロプロセッサユニットに接続された情報記憶ユニットと、前記マイクロプロセッサユニットに接続された温湿度センサとをさらに有することを特徴とする請求項７に記載の加入者識別モジュールカード。
【考案の詳細な説明】
【技術分野】
【０００１】
本考案は、加入者識別モジュールカード及びそれを内蔵した無線通信装置に関し、特に、ガス検知機能を有する加入者識別モジュールカード及びそれを内蔵した無線通信装置に関する。
【背景技術】
【０００２】
ガスセンサは、ガスの物理的又は化学的性質を検知するために、医療、産業、環境保全等の分野で幅広く利用されている。例えば、特許文献１には、肺炎の種類を早期に検出及び認識できる人工呼吸器が開示されている。
【０００３】
また、特許文献２には、ハンドヘルド装置のガスセンサが開示されている。当該ガスセンサは、マイクを内蔵したハンドヘルド装置の空洞部内に設けられ、検知チップと、回路基板と、ガスチャネルとを含む。ハンドヘルド装置は、携帯電話、タブレットパソコン、携帯情報端末（ＰＤＡ）等の身近に利用する情報機器であるため、ユーザは常にハンドヘルド装置を利用して空気（ガス）に対して検知を行うことで、自分の健康を守り、さらに公共環境の安全を確認できる。また、大気汚染が悪化する環境では、常に空気中の微小粒子状物質（ＰＭ２．５）の濃度値に注意を払えば、適切な対策がとれる。
【０００４】
しかしながら、ハンドヘルド装置のマイクを内蔵した空洞部にガスセンサを取り付けるには、空洞部内に取り付けるためのスペースと回路接点が必要である。ハンドヘルド装置がますます薄型化している今、装置本体の系統的な設計の段階で、取り付けるためのスペースと回路接点を設置していなければ、後にガスセンサを付け加えようとしてもできず、またメンテナンスと交換を行う場合は、装置を分解するために専門的な技術が求められる。
【０００５】
また、マイクを内蔵した空洞部にガスセンサを付け加える場合、ハンドヘルド装置を分解する必要があり、これに伴って製品の保証が無効になるため、付け加えたいという考えはあっても実行に移すユーザはかなり少ない。
【先行技術文献】
【特許文献】
【０００６】
【特許文献１】台湾特許第Ｉ４５８４６４号公報
【特許文献２】中国実用新案第２０８２８３３６８号明細書
【考案の概要】
【考案が解決しようとする課題】
【０００７】
本考案の目的は、ガス検知機能を有する従来の無線通信装置が、無線通信装置内にガスセンサを付け加える必要があるという課題を解決するために、無線通信装置にガスセンサの機能を付与できる加入者識別モジュールカードを提供することにある。
【課題を解決するための手段】
【０００８】
上記目的を達成するためになされた本考案の一態様による無線通信装置は、本体と、インサートと、加入者識別モジュールカードとを含む。本体は、ハウジング、基板、開口、及びスロットを含み、基板はハウジング内に設けられ、開口はハウジングに設けられ、スロットは開口に連通する。インサートは、フレーム、カバー、及び通気防水性フィルムを有し、フレームはスロットに挿入されるように構成され、カバーは開口を閉鎖し、通気防水性フィルムはフレームとカバーとの間に配置され、湿気の通過を止めながらガスの通過を許容し、カバーは少なくとも１つのガス通過孔を有し、これによってスロット内のスペースは少なくとも１つのガス通過孔を介して外部に連通することで、ガスがスロットに入ることを許容する。
【０００９】
加入者識別モジュールカードは、平板状担体と、加入者識別モジュール回路と、ガス検知チップとを有する。平板状担体はフレームに取り付けられ、フレームがスロットに挿入されると、加入者識別モジュール回路は基板に電気的に接続される。平板状担体は、第１面、第２面、連通孔、及び電気接触部を有し、第１面に加入者識別モジュール回路が設けられ、第２面は第１面の反対面であって且つガス検知チップが設けられ、連通孔は第１面と第２面とを連通し、電気接触部は連通孔を通して第１面と第２面に延在し、且つ、電気接触部は加入者識別モジュール回路及びガス検知チップに電気的に接続される。
【考案の効果】
【００１０】
以上の構成を備えることにより、本考案は、従来技術に比べて次の利点を有する。
加入者識別モジュールカードの回路によって使用されていない部分にガス検知チップを設け、また通気防水性フィルム及びガス通過孔を設置することによって、本考案による無線通信装置は、ガス検知素子を付け加えなくても、ガス検知機能を具現できる。また、通気防水性フィルムを利用して、湿気を止めながらガスが無線通信装置に入ることを許容することによって、防水性及びガス検知のニーズを満たす。加入者識別モジュールカードとガス検知チップとはモジュールとして一体的に設計されており、加入者識別モジュールカードの本来の標準インタフェースを保持しているため、無線通信装置のハードウェアを変更することなく、無線通信装置に装着することで無線通信装置にガスセンサの機能を付与でき、様々な機種の無線通信装置に適用することができる。また、ユーザは自分でも取り替えることができるので、使用上のニーズ及びメンテナンスのニーズを満たすことができる。
【図面の簡単な説明】
【００１１】
【図１】本考案の第１の実施例による無線通信装置の組立構造を示す概略図である。
【図２】本考案の第１の実施例による無線通信装置の部分構造を示す分解概略図である。
【図３】本考案の第１の実施例による加入者識別モジュールカードの第１面の構造を示す概略図である。
【図４】本考案の第１の実施例による加入者識別モジュールカードの断面構造を示す概略図である。
【図５】本考案の第１の実施例による無線通信装置のシステム構成を示すブロック図である。
【図６】本考案の第２の実施例によるインサートの構造を示す概略図である。
【考案を実施するための形態】
【００１２】
以下、本考案を実施するための形態の具体例を、図面を参照しながら詳細に説明する。
【００１３】
図１から図３に示すように、本考案は、無線通信装置を提供する。無線通信装置は、本体１０と、インサート２０と、加入者識別モジュール（Ｓｕｂｓｃｒｉｂｅｒ  Ｉｄｅｎｔｉｔｙ  Ｍｏｄｕｌｅ、略称ＳＩＭ）カード３０とを含む。本体１０は、ハウジング１１と、基板１２と、開口１３と、スロット１４とを含み、基板１２はハウジング１１内に設けられ、開口１３はハウジング１１に設けられ、スロット１４は開口１３に連通する。本考案の一実施例において、無線通信装置は携帯電話であるが、他の実施例において、無線通信装置は、タブレットパソコン、又は機能的に類似するか又は同一であるその他の装置であってもよい。
【００１４】
インサート２０は、フレーム２１と、カバー２２と、通気防水性フィルム２３とを有し、フレーム２１はスロット１４に挿入するように構成され、カバー２２は開口１３を閉鎖し、通気防水性フィルム２３はフレーム２１とカバー２２との間に配置され、通気防水性フィルム２３は湿気の通過を止めながらガスの通過を許容し、カバー２２は少なくとも１つのガス通過孔２２１を有し、これによってスロット１４内のスペースは少なくとも１つのガス通過孔２２１を介して外部に連通し、ガスが通過してスロット１４に入ることを許容する。
【００１５】
加入者識別モジュールカード３０は、サイズがｆｕｌｌ−ｓｉｚｅ  ＳＩＭカード、ｍｉｎｉ−ＳＩＭカード、ｍｉｃｒｏ−ＳＩＭカード、又はｎａｎｏ−ＳＩＭカード等の従来の加入者識別モジュールカードに対応し、平板状担体３１と、加入者識別モジュール回路３２と、ガス検知チップ３３とを有する。平板状担体３１はフレーム２１に取り付けられ、且つ、加入者識別モジュールカード３０がフレーム２１に固定できるように、フレーム２１は少なくとも１つの溝部２１１を有し、少なくとも１つの溝部２１１のそれぞれが額縁２１２を有し、額縁２１２は平板状担体３１を受け止め、フレーム２１がスロット１４に挿入されると、加入者識別モジュール回路３２は基板１２に電気的に接続される。
【００１６】
図４に示すように、平板状担体３１は、第１面３１１と、第２面３１２と、連通孔３１３と、電気接触部３１４とを有する。第１面３１１に加入者識別モジュール回路３２が設けられ、加入者識別モジュール回路３２は、一般の加入者識別モジュールカードと回路構造が同じであり、中央処理装置（ＣＰＵ）と、読み出し専用メモリ（ＲＯＭ）と、ランダムアクセスメモリ（ＲＡＭ）と、電気的消去可能プログラマブル読み出し専用メモリ（ＥＥＰＲＯＭ）と、Ｉ／Ｏ回路とからなる。加入者識別モジュール回路３２の構造は、当業者に自明であるため、詳細な説明は省略する。第２面３１２は第１面３１１の反対面であり、且つ、第２面３１２にガス検知チップ３３が設けられ、連通孔３１３は第１面３１１と第２面３１２とを連通し、電気接触部３１４は連通孔３１３を通して第１面３１１と第２面３１２とに延在し、且つ、電気接触部３１４は加入者識別モジュール回路３２及びガス検知チップ３３に電気的に接続される。このようにして、加入者識別モジュール回路３２が基板１２に電気的に接続されるため（図５参照）、ガス検知チップ３３が電気接触部３１４を介して加入者識別モジュール回路３２に電気的に接続されると、ガス検知チップ３３は加入者識別モジュール回路３２を経由して、間接的に基板１２に電気的に接続される。基板１２がガス検知チップ３３に所定の電圧を供給し、基板１２は入出力インタフェースとして機能する。
【００１７】
図５に示すように、ガス検知チップ３３は、少なくとも１つのガス検知素子３３１と、アナログデジタル変換ユニット３３２と、マイクロプロセッサユニット３３３と、電源管理ユニット３３４と、情報記憶ユニット３３５と、温湿度センサ３３６とを有する。アナログデジタル変換ユニット３３２は少なくとも１つのガス検知素子３３１に接続され、少なくとも１つのガス検知素子３３１は微小電気機械システム（ＭＥＭＳ）、電気化学センサ、高分子センサ、及び光学センサから選択され、マイクロプロセッサユニット３３３はアナログデジタル変換ユニット３３２に接続され、アナログデジタル変換ユニット３３２は少なくとも１つのガス検知素子３３１によって検出されたアナログ信号をデジタル信号に変換し、電源管理ユニット３３４は電気接触部３１４（図４参照）に接続され且つガス検知チップ３３に所定の電圧を供給し、情報記憶ユニット３３５はマイクロプロセッサユニット３３３に接続され、情報記憶ユニット３３５はデジタル情報を一時的に記憶するための、フラッシュメモリ（Ｆｌａｓｈ  ｍｅｍｏｒｙ）、電気的消去可能プログラマブル読み出し専用メモリ（Ｅｌｅｃｔｒｉｃａｌｌｙ−Ｅｒａｓａｂｌｅ  Ｐｒｏｇｒａｍｍａｂｌｅ  Ｒｅａｄ−Ｏｎｌｙ  Ｍｅｍｏｒｙ、略称ＥＥＰＲＯＭ）等であってもよく、温湿度センサ３３６もマイクロプロセッサユニット３３３に接続され、温度と湿度を検出する。
【００１８】
図６に示すように、インサート２０Ａの溝部２１１の数は２つであってもよく、これによって２つの加入者識別モジュールカード３０を装着できる。即ち、溝部２１１は無線通信装置の構造に基づいて１つ以上設置される。また溝部２１１は、サイズ的に加入者識別モジュールカード３０に対応する。
【００１９】
以上で説明したように、本考案による無線通信装置及びガス検知機能を有する加入者識別モジュールカードは、従来技術に比べて以下の特徴を有する。
１．加入者識別モジュールカードの回路によって使用されていない部分にガス検知チップを設け、また通気防水性フィルム及びガス通過孔をインサートに設置することによって、本考案による無線通信装置は、ガス検知素子を付け加えなくても、ガス検知機能を具現できる。
【００２０】
２．本考案による加入者識別モジュールカードとガス検知チップは、その装着先である無線通信装置の構造に基づいて一つのモジュールとして一体的に設計されており、無線通信装置のハードウェアを変更することなく、ガス検知チップの機能を当該無線通信装置に付与できる。
【００２１】
３．本考案による加入者識別モジュールカードは、加入者識別モジュールカードの本来の標準インタフェースを保持しているため、様々な機種の無線通信装置に適用でき、ユーザは自分でも取り替えることができるので、使用上のニーズ及びメンテナンスのニーズを満たす。
【００２２】
４．通気防水性フィルム及びガス通過孔をインサートに設置することによって、通気性が確保されながら、防水機能を実現できるため、防水性及びガス検知のニーズを満たす。
【００２３】
５．連通孔を通して第１面と第２面とに延在する電気接触部を設置することによって、加入者識別モジュール回路とガス検知チップとが電気的に接続され、ガス検知チップは、加入者識別モジュール回路を介して無線通信装置の基板に電気的に接続され、基板はガス検知チップに所定の電圧を供給し、通信インタフェースとして機能する。
【符号の説明】
【００２４】
１０    本体
１１    ハウジング
１２    基板
１３    開口
１４    スロット
２０、２０Ａ    インサート
２１    フレーム
２１１    溝部
２１２    額縁
２２    カバー
２２１    ガス通過孔
２３    通気防水性フィルム
３０    識別モジュールカード
３１    平板状担体
３１１    第１面
３１２    第２面
３１３    連通孔
３１４    電気接触部
３２    加入者識別モジュール回路
３３    ガス検知チップ
３３１    ガス検知素子
３３２    アナログデジタル変換ユニット
３３３    マイクロプロセッサユニット
３３４    電源管理ユニット
３３５    情報記憶ユニット
３３６    温湿度センサ
【図１】
0003226896.tif 000003
【図２】
0003226896.tif 000004
【図３】
0003226896.tif 000005
【図４】
0003226896.tif 000006
【図５】
0003226896.tif 000007
【図６】
0003226896.tif 000008